(57)【要約】【課題】  売り場に陳列されている商品がリアルタイムで把握できて値下げ商品の値下げが迅速かつ正確に行えるとともに正確な値下げ表示が行える商品情報管理システムを提供することにある。【解決手段】  本発明の商品情報管理システム１は、商品に取り付けられた複数のＲＦＩＤタグ８の情報を、ＲＦＩＤリーダ１０を介して読み取り、ＲＦＩＤサーバー９で情報の管理を行うＲＦＩＤシステム３と、ＲＦＩＤシステム３から受け入れた値下げ情報を棚札サーバー１１で処理し、トランシーバ１４を介して電子棚札１２や値下げ商品表示装置１３に表示を行う電子棚札システム４と、ＲＦＩＤタグ８に情報を書き込むラベルプリンタ５と、電子キャッシュレジスタを備えたＰＯＳシステム６と、が設けられ、これらは店舗内に配備されたＬＡＮ７に接続されて商品情報ファイルを格納するストアコントローラ２でコントロールされている。【選択図】    図１
2005270558.tif 000002
【特許請求の範囲】
【請求項１】
売り場に配置され、商品価格や単価などの価格情報を書き換え可能に表示する電子表示装置と、
個別に割り当てられた識別情報を記憶して商品に取り付けられる無線タグと、
この無線タグに記憶された前記識別情報を読み取る読み取り手段と、
前記識別情報に対応する商品名や商品価格、単価などを含む商品情報を記憶する記憶手段と、
前記読み取り手段によって読み取られた前記識別情報と前記商品情報にもとづいて商品名を特定するとともに、商品の製造または加工後の経過時間によって値下げを行う値下げ商品の前記価格情報を求める情報処理手段と、を備え、
前記情報処理手段によって求められた値下げ商品の前記価格情報を前記電子表示装置で表示することを特徴とする、商品情報管理システム。
【請求項２】
前記情報処理手段は、売り場に陳列されている商品の品目毎の数量を単価別に集計する機能を有し、前記情報処理手段によって求められた商品の品目毎の数量を前記価格情報とともに前記電子表示装置で表示することを特徴とする、請求項１に記載の商品情報管理システム。
【請求項３】
前記電子表示装置は、売り場に陳列されている商品の品目毎に配置され、前記商品を品目毎に表示することを特徴とする、請求項１または２のいずれかに記載の商品情報管理システム。
【請求項４】
前記電子表示装置は、売り場に陳列されている複数品目の値下げ商品をまとめて表示することを特徴とする、請求項１または２のいずれかに記載の商品情報管理システム。
【発明の詳細な説明】
【技術分野】
【０００１】
本発明は、複数の電子表示装置を売り場に配置して商品の価格等を表示する商品情報管理システムに関し、特に商品の製造または加工後の時間経過に伴って変更される商品の値引き後の価格や単価を表示する商品情報管理システムに関する。
【背景技術】
【０００２】
肉や魚介類、野菜、果物などの生鮮食品、乳製品やハムなどの加工食品、乾物、レトルト食品などの食品類は、製造や加工後の時間経過に伴って商品の鮮度や風味が低下する。そこで、製造や加工時点で容器などに製造日時や加工日時、消費期限、品質保持期限、賞味期限などの表示が行われ、消費者の購買時の目安とされている。当然のことながら、消費者は売り場に陳列された商品に表示されている製造日時などを確認し、出来るだけ新しいものを選択しようとするので、仮に製造日時の異なる商品が同じ価格で販売されていれば新しい商品から売れていき、製造日時の古い商品は売れ残ってしまうことになる。販売店は、売れ残った商品を別の商品に加工して再利用を図るなどの工夫を行っているが、加工できないものは廃棄せざるを得ず、これではコストに影響するとともに資源の無駄遣いになるという問題があった。また、古い商品がいつまでも売れ残ったままで放置されていると、売り場には古い商品ばかりが目立つようになり、生鮮食品を扱う店のイメージを損ねるという問題もあった。そこで販売店では、商品の製造日時などを定期的に確認し、製造後一定の時間が経過した商品については、陳列棚の前列に移動して手に取りやすくしたり価格を下げたりして客の購買意欲を喚起し、古い商品の売れ残りを防止するようにしている。
【０００３】
しかしながら、値下げ商品を判別するために売り場に陳列された商品を一点一点手にとって製造日時などの確認を行うのは手間がかかり、人手を要するという問題があった。そこで、このような確認作業の手間などの緩和を図るために、商品生産時刻を電子棚札に表示するとともに、鮮度の落ちた商品を自動的に判断して電子棚札によりその旨を表示させる電子棚札制御装置および電子棚札ならびに電子棚札システムが提案されている（特許文献１参照）。この電子棚札システムは、あらかじめ記憶装置に記録されている商品の鮮度判別時間テーブルにもとづいて鮮度落ちの判断を行って報知するというものであり、製造後に所定の時間が経過して鮮度判断時間と判断された商品に対して、配置された電子棚札の表示画面を点滅させることにより店員に鮮度落ちを通知するようになっている。
【０００４】
【特許文献１】特開２００２−１２８２７８号公報
【発明の開示】
【発明が解決しようとする課題】
【０００５】
しかしながら、上記システムは、あらかじめ記憶装置に記録されている商品の鮮度判別時間テーブルにもとづいて棚札の表示を行うものであり、鮮度判別時間テーブルが更新されないと棚札表示も更新されないので、その間は実際に陳列棚に陳列されている商品と棚札表示との間に不一致が生じることになる。例えば、客が値下げ商品を買い物籠に入れて店内を移動している場合において、従来の方式では鮮度判別時間テーブルは少なくとも当該商品を電子キャッシュレジスタなどで精算を行うまでは更新されないので、すでに陳列棚から商品がなくなっているにもかかわらず値下げ商品の表示がそのまま棚札に残ってしまうという不具合が生じた。短時間で商品代金の精算が行われればこのような棚札の表示と商品の陳列状況との不一致は問題にならないが、これが長引くようであれば、棚札の値下げ表示を見てこの商品を購入しようとした客の期待を裏切ることになり、かえって客の購買意欲を減退させる結果になるという問題があった。
【０００６】
本発明は上記事情に鑑みてなされたものであり、その目的とするところは、売り場に陳列されている商品が正確に把握でき、この商品の正確な情報にもとづいて値下げ商品の値下げ処理が迅速かつ正確に行える商品情報管理システムを提供することにある。また、陳列商品の正確な数量情報にもとづく値下げ表示が行える商品情報管理システムを提供することにある。
【課題を解決するための手段】
【０００７】
本発明の商品情報管理システムは、前記目的を達成するために、売り場に配置され、商品価格や単価などの価格情報を書き換え可能に表示する電子表示装置と、個別に割り当てられた識別情報を記憶して商品に取り付けられる無線タグと、この無線タグに記憶された前記識別情報を読み取る読み取り手段と、前記識別情報に対応する商品名や商品価格、単価などを含む商品情報を記憶する記憶手段と、前記読み取り手段によって読み取られた前記識別情報と前記商品情報にもとづいて商品名を特定するとともに、商品の製造または加工後の経過時間によって値下げを行う値下げ商品の前記価格情報を求める情報処理手段と、を備え、前記情報処理手段によって求められた値下げ商品の前記価格情報を前記電子表示装置で表示することを特徴としている。
【０００８】
また、前記情報処理手段は、売り場に陳列されている商品の品目毎の数量を単価別に集計する機能を有しており、前記情報処理手段によって求められた商品の品目毎の数量を前記価格情報とともに前記電子表示装置で表示することを特徴とする。
【０００９】
また、前記電子表示装置は、売り場に陳列されている商品の品目毎に配置され、前記商品を品目毎に表示することを特徴とする。
【００１０】
また、前記電子表示装置は、売り場に陳列されている複数品目の値下げ商品をまとめて表示することを特徴とする。
【発明の効果】
【００１１】
本発明に係る商品情報管理システムによれば、実際に売り場に陳列されている商品の識別情報を取得して値下げ対象商品を選定し、その値下げ価格や単価などを電子表示装置に表示するようにしたので、実際に売り場に陳列されている商品の値下げ価格や単価などをリアルタイムで表示することが可能となり、売り切れた商品の値下げ価格や単価などをいつまでも表示することのない商品情報管理システムの提供が図れる。
【００１２】
また、本発明によれば、売り場に陳列されている値下げ対象商品の陳列数量を電子表示装置に表示するようにしたので、売り場に陳列されている商品の陳列数が一目で把握可能となり、値下げ商品の購買を期待して来店した客の購買意欲を喚起するのに有効な商品情報管理システムを提供することができる。
【００１３】
また、本発明によれば、売り場に陳列されている商品の陳列数量を電子表示装置に表示するようにしたので、商品の陳列数が一目で把握可能となり、売り場担当者の在庫管理が容易な商品情報管理システムを提供することができる。
【発明を実施するための最良の形態】
【００１４】
以下添付図面に従って、本発明に係る商品情報管理システムにおける好ましい実施の形態について詳説する。
【００１５】
図１は、本発明の実施の形態に係る商品情報管理システムのブロック図であり、スーパーマーケットなどの店舗において、生鮮食品などの商品に貼付したＲＦＩＤタグ(無線タグ)に記憶されている商品のＩＤ番号（識別情報）を読み取って商品名を特定し、商品の製造または加工後の経過時間にもとづいてその商品が値下げ商品に該当すると判断された場合には、その商品の値下げ価格や単価などを棚札に表示するための商品情報管理システムの構成を示すものである。
同図に示すように、商品情報管理システム１は、ストアコントローラ２、ＲＦＩＤ（Ｒａｄｉｏ  Ｆｒｅｑｕｅｎｃｙ−Ｉｄｅｎｔｉｆｉｃａｔｉｏｎ）システム３、電子棚札システム４、ラベルプリンタ５、ＰＯＳ（Ｐｏｉｎｔ  Ｏｆ  Ｓａｌｅｓ）システム６を有しており、これらは店舗内に配備されたＬＡＮ（Ｌｏｃａｌ  Ａｒｅａ  Ｎｅｔｗｏｒｋ）７に接続されている。
【００１６】
ストアコントローラ２は、店舗内における商品の入出庫や在庫、売り上げ管理などを含む店舗システム全体をコントロールするために設けられており、商品のＩＤ番号、商品番号、商品名、商品の生産地や購入先、商品の購入価格、購入年月日、値下げ情報などの商品情報が記憶された商品情報ファイルを格納している。商品のＩＤ番号は、個々の商品に対して割り当てられる固有の番号であり、このＩＤ番号によりストアコントローラ２に記憶された商品情報ファイルが検索可能となっている。
【００１７】
ＲＦＩＤシステム３は、各商品に取り付けられたＲＦＩＤタグ８、システムを制御するＲＦＩＤサーバー９およびこれらの間で情報を送受信するＲＦＩＤリーダ１０などにより構成されている。
【００１８】
ＲＦＩＤサーバー９は一般的なパソコンが使用され、価格情報ファイルなどが格納されている。価格情報ファイルは、ストアコントローラ２に記憶された商品情報ファイルからＲＦＩＤサーバー９が管理する商品の値下げに必要な情報を抽出したものである。ＲＦＩＤサーバー９は、ＲＦＩＤリーダ１０を介して個々の商品に取り付けられたＲＦＩＤタグ８から商品のＩＤ番号を取り込み、ＲＦＩＤサーバー９に記憶されている価格情報ファイルをもとにして、そのＩＤ番号に対応する商品が値下げ商品か否かの判定を行い、商品別、価格別に陳列数量を集計する。ここで得られた商品別、価格別の陳列数量などは、ＬＡＮ７を経由してストアコントローラ２や電子棚札システム４に送信される。このＲＦＩＤサーバー９は必要に応じて複数台設けることも可能である。
【００１９】
ＲＦＩＤタグ８は、裏面に粘着剤を塗工した粘着ラベルに加工され、ラベルプリンタ５により、表面に商品名やＩＤ番号(識別情報)などを表すバーコード、製造日時、消費期限や品質保持期限といった期限表示、商品価格などを印字するとともに、無線通信によりＩＣメモリにＩＤ番号を入力して商品に貼付される。またＲＦＩＤタグ８は、使用周波数により１３．５ＫＨｚ以下、１３．５６ＭＨｚ、８６０Ｍ〜９６０ＭＨｚ、２．４５ＧＨｚなどのものが知られており、用途に応じて適宜選定して使用可能である。
【００２０】
ＲＦＩＤリーダ１０は、複数のＲＦＩＤタグ８を同時に読み書き可能なアンチコリジョン機能を有しており、商品に取り付けたＲＦＩＤタグ８と通信可能な範囲内に必要な数だけ設置されている。
【００２１】
電子棚札システム４は、全体を制御する棚札サーバー１１、商品の品目毎に設けられ商品名や価格などを表示する複数の電子棚札１２、値下げ商品の商品名や価格などを陳列棚単位で表示したり店舗全体をまとめて表示したりするのに用いられる値下げ商品表示装置１３、この電子棚札１２や値下げ商品表示装置１３に対して棚札サーバー１１から値下げ価格などの情報を送信するためのトランシーバ１４などにより構成されている。
【００２２】
棚札サーバー１１は汎用的なパソコンが使用され、棚札ファイルなどが格納されている。棚札ファイルは、あらかじめストアコントローラ２に記憶された商品情報ファイルから棚札サーバー１１が管理する商品の表示に必要な情報を抽出したものであり、この棚札ファイルの情報の一部がトランシーバ１４を介して送信され、電子棚札１２や値下げ商品表示装置１３に表示される。
【００２３】
電子棚札１２は、各品目の商品に対応する位置に配置され、商品毎に表示を行うようになっている。電子棚札１２には、商品の陳列当初は商品名やバーコードの他に、通常価格の商品に関する価格などの表示が行われるが、所定の時間が経過して値下げ対象商品に指定されると、電子棚札１２にはさらに値下げ商品に関する価格などの表示が行われる。
【００２４】
値下げ商品表示装置１３は、値下げ対象となった商品のみを集めて表示を行うことにより、個々の商品の電子棚札１２を見なくとも値下げ商品が確認できるようにした表示装置である。本実施形態では陳列棚毎にまとめて表示を行うものと、店舗の入り口に設置され、販売促進対象となっている商品を中心に表示を行うことにより新規来店者の注目を集めるようにした表示装置とを例示している。
【００２５】
ラベルプリンタ５は、ストアコントローラ２やＲＦＩＤサーバー９などからの指令を受けてＲＦＩＤタグ８を発行するために設けられ、ＲＦＩＤタグ８の表面に商品の名称やバーコードなどを熱転写方式などによって印字を行うための一般的な機能を有しているとともに、ＲＦＩＤタグ８に対して商品のＩＤ番号などを無線通信によって書き込む機能を有している。
【００２６】
ＰＯＳシステム６は、図示しないＰＯＳサーバーや電子キャッシュレジスタなどで構成され、ＰＯＳシステム６により得られる商品の販売情報は、ＬＡＮ７を介してストアコントローラ２にリアルタイムで送信可能となっている。
【００２７】
図２は、本実施形態におけるＲＦＩＤサーバー９の内部構造を示すものである。
ＲＦＩＤサーバーは、各部を制御するためのＣＰＵ（中央処理装置）２１、ＣＰＵ２１のプログラムが格納されたメモリ装置であるＲＯＭ２２、データを記憶するためのメモリ装置であるＲＡＭ２３、液晶ディスプレイなどの表示部２４、キーボードなどからなる操作部２５、商品の値下げ判断に必要となる価格情報ファイル２６および値下げ区分ファイル２７を備えている。
【００２８】
図３は、ＲＦＩＤサーバー９に格納されている価格情報ファイル２６の一例を示す図である。同図に示すように、価格情報ファイル２６には、ＲＦＩＤタグ８に登録される商品のＩＤ番号、商品番号、商品名、製造（加工）日時、期限表示、価格、単価、入り目、値下げ区分、棚番号などが入力され、さらに現在価格、現在単価、値下げ率が空欄となっている。入り目は、質量単位や容量単位が使われるが、この図では質量単位で表示を行っている。期限表示は、製造（加工）日時によって定められる商品に固有の消費期限あるいは品質表示期間であり、電子棚札にはこの日付が表示される。値下げ区分は、後述のように商品の製造や加工後の経過時間と値下げ率の関係を類型化したものである。また棚番号は、各陳列棚に与えられる個別の番号と陳列棚の上段から数えた棚位置からなるもので、例えば３番目の陳列棚の上から３段目は、３−３と表示されている。また、空欄となっている現在価格、現在単価、値下げ率は、値下げ価格や現在単価、値下げ率を取得した際に入力するために設けられており、これに関しては図９で詳述する。
【００２９】
図４は、製造や加工後の経過時間によって値下げ処理を行うための基準となる値下げ区分ファイル２７の一部を示す図である。値下げ区分ファイル２７には製造や加工後の経過時間に対する値下げ率や処理の方法などが入力されており、経過時間と値下げ率が同一のものについては商品に関係なく同一値下げ区分が与えられる。図４では値下げ区分Ａについて例示しており、それによれば商品の製造や加工後６時間を経過すると最初の値下げが行われ、その後１２時間、２４時間経過すると順次値下げ率が変更され、さらに３６時間経過後は陳列棚から取り出して加工に回されるように定められている。
【００３０】
図５は、単価が同じで入り目が異なる牛肉のパック詰め商品に関する電子棚札１２の一表示例である。牛肉などのように、パックによって入り目が異なる商品はパック毎に商品価格も異なるので、電子棚札１２の表示スペースの制約によりパック毎（商品毎）の価格は示さずに商品の品目毎に単価表示を行ったものである。図５では、商品名、製造元、商品番号などを表すバーコード、消費期限や品質保持期限を表す期限表示、単価、値下げ率、残数が表示されており、特に値下げ商品に関しては単価欄に「特価」の表示が行われている。すなわち、通常価格で販売する通常商品の下の欄には、製造後の経過時間によって３段階に値下げされた商品の単価、値下げ率、残数が、商品の期限表示の右欄に表示されている。
【００３１】
図６は、容器サイズによって入り目が定まっている牛乳について示した電子棚札１２の他の表示例である。図６では、商品名、製造元、商品番号などを表すバーコード、消費期限や品質保持期限を表す期限表示、価格、単価、残数が表示されており、特に値下げ商品に関しては価格欄に「特価」と表示されている。すなわち、通常価格で販売する通常商品の下の欄には、製造後の経過時間によって３段階に値下げされた商品の単価、値下げ率、残数が、商品の期限表示の右欄に表示されている。また、単価の横に表示スペースを設けて値下げ率を表示することも可能である。
【００３２】
図７は陳列棚３１の一例を示すものである。陳列棚３１の棚板３２の前面には電子棚札１２が取り付けられており、その棚板３２の上部空間は商品を陳列するための陳列スペース３３となっている。通常は、陳列されている商品と商品価格の対応関係が容易となるように、電子棚札１２の後ろの陳列スペース３３に商品が配列されている。各々の陳列スペース３３の天井（上段棚板の下面）３４には、複数のＲＦＩＤリーダ１０が互いに適当な距離をあけて配置されており、商品に取り付けられたＲＦＩＤタグ８から無線により非接触で商品のＩＤ番号を読み取るようになっている。また、ＲＦＩＤタグ８の商品への取り付け位置は商品の裏面でも可能であるが、一般には見える位置に取り付けた方が目視による確認が容易であり、かつＲＦＩＤリーダ１０の読み取りエラーも少なくて好ましい。
【００３３】
陳列棚３１の最上部には値下げ商品表示装置１３が設置され、その陳列棚３１全体に陳列されている値下げ対象商品の商品名、通常価格もしくは単価、値下げ価格もしくは単価、個数などが表示されている。このような表示は、当該値下げ商品の陳列位置が分かりやすいように、例えば上段の棚板３２上にある商品から順に値下げ商品表示装置１３の上欄に表示を行ったり、文字により位置を表示したりするなどの工夫が行われている。
【００３４】
図８は店舗４１の概略平面図であり、入り口４２、複数の陳列棚３１、複数の値下げ商品表示装置１３、複数の電子キャッシュレジスタ４３、出口４４の位置などを示している。値下げ商品表示装置１３には、図８で説明した陳列棚の上部に設置された比較的小型のものと、店舗全体の特売情報を表示するために入り口付近に設置された大型のものがある。
【００３５】
次に、このような構成の商品情報管理システム１において、商品に取り付けたＲＦＩＤタグ８に記憶されている商品のＩＤ番号から値下げ商品を確認し、値下げ表示を行うための処理方法について図９を用いて説明する。
【００３６】
図９は商品の値下げ処理の流れを示すフローチャートである。
まず、ステップＳ１において、個々の商品に取り付けたＲＦＩＤタグ８から商品のＩＤ番号（識別情報）をＲＦＩＤリーダ１０で読み取る。ここで読み取ったＩＤ番号をもとに、ステップＳ２において、ＲＦＩＤサーバー９に格納されている価格情報ファイル２６から商品名、製造日時、値下げ区分を求め、ステップＳ３において、商品の製造後（加工後）の経過時間を製造日時（加工日時）と現在日時から算出する。さらにステップＳ４において、当該商品が値下げ商品に該当するか否かを製造後（加工後）の経過時間と値下げ区分ファイル２７から判断する。ここで当該商品が値下げ商品と判断された場合は、ステップＳ５において、製造後（加工後）の経過時間に対応する値下げ率を値下げ区分ファイル２７から読み取って値下げ価格と単価を計算し、ステップＳ６に進む。
【００３７】
一方、当該商品が値下げ商品でないと判断された場合は、通常価格（当初価格）を維持するものと判断し、ステップＳ５をスキップしてステップＳ６に進む。
【００３８】
このようにして当該商品の現在の価格と単価を決定した後、ステップＳ６において、価格情報ファイル２６の現在価格、現在単価、値下げ率の欄に書き込む。同様の処理をステップＳ1で読み取った他の商品についても行い、ステップＳ７において、全ての商品について読み取ったと判断した段階でステップＳ８に移り、商品番号と現在単価をキーにして価格情報ファイル２６を検索し、同一商品番号で現在単価が同じ商品の数量を集計する。さらにステップＳ９において、このようにして得られた現在の価格、単価、数量を棚札サーバー１１に送り、棚札サーバー１１の棚札ファイルを書き換えるとともに、トランシーバ１４を介して値下げ価格、値下げ単価、値下げ率、数量を送信し、所定の棚番号の電子棚札１２に図５や図６に例示した表示を行う。
【００３９】
また棚札サーバー１１は、陳列棚３１毎に値下げ商品の数量を集計し、値下げ商品の値下げ価格、単価、値下げ率、個数などについて、トランシーバ１４を介して各陳列棚３１に配置した値下げ商品表示装置１３に送信し、これらの表示を行うようにする。また、店舗４１全体として特に買い得となっているものや、早急に販売したいと考える商品に関しては、同様にして店舗４１の入り口４２付近に設置した大型の値下げ商品表示装置１３に表示を行うことができる。
【００４０】
また、価格情報ファイル２６に記録された商品が全て陳列棚３１からなくなった場合は、電子棚札１２の数量表示部分に「０」が表示され、これにより店員の注意が喚起される。また同時に、ストアコントローラ２に対して商品の残数量がゼロであることを送信することにより、商品の補充などに迅速に対処可能となっている。
【００４１】
一方、ストアコントローラ２に格納された商品情報ファイルは、ＰＯＳシステム６からの販売情報がリアルタイムで反映され、商品情報ファイルの内容は常に新しいものに書き換わるようになっている。商品情報ファイルが書き換わるとＬＡＮ７を介してＲＦＩＤサーバー９と棚札サーバー１１に対して所定の情報が任意の頻度で送信され、価格情報ファイル２６と棚札ファイルが更新されるようになっている。
【００４２】
このように、本発明によれば、売り場に陳列されている商品に取り付けられた無線タグ（ＲＦＩＤタグ）から識別情報を取得することにより、現時点における陳列商品をリアルタイムで確認可能となり、さらにこの確認された商品から値下げ対象商品を選定してこの値下げ価格や陳列数量などを電子表示装置で表示するようにした商品情報管理システムの提供が可能となる。
また、本発明によれば、売り場に陳列されている値下げ対象商品の陳列数量を集計するようにしたので、万引きなどにより商品がなくなっていたり、客が一度手に取った商品をもとの位置に返さなかったりした場合でも、早期に発見できるという効果を奏す。
【００４３】
なお、本発明は本実施の形態に限定されず、本発明の技術思想の範囲内において適宜変更可能であることはいうまでもない。
【図面の簡単な説明】
【００４４】
【図１】本発明の実施の形態に係る商品情報管理システム１のブロック図である。
【図２】ＲＦＩＤサーバー９の内部構造を示す構成図である。
【図３】ＲＦＩＤサーバー９に格納されている価格情報ファイル２６の一例を示す図である。
【図４】値下げ区分ファイル２７の一部を示す構成図である。
【図５】電子棚札１２の一表示状態を表す図である。
【図６】電子棚札１２の他の表示状態を表す図である。
【図７】店舗４１内に配置された陳列棚３１の一例を表す図である。
【図８】図８は店舗４１の概略平面図である。
【図９】商品の値下げ処理の流れを示すフローチャートである。
【符号の説明】
【００４５】
１  商品情報管理システム
２  ストアコントローラ
３  ＲＦＩＤシステム
４  電子棚札システム
５  ラベルプリンタ
６  ＰＯＳシステム
７  ＬＡＮ
８  ＲＦＩＤタグ
９  ＲＦＩＤサーバー
１０  ＲＦＩＤリーダ
１１  棚札サーバー
１２  電子棚札
１３  値下げ商品表示装置
１４  トランシーバ
２１  ＣＰＵ
２２  ＲＯＭ
２３  ＲＡＭ
２４  表示部
２５  操作部
２６  価格情報ファイル
２７  値下げ区分ファイル
３１  陳列棚
３２  棚板
３３  陳列スペース
３４  天井
４１  店舗
４２  入り口
４３  電子キャッシュレジスタ
４４  出口
【図１】
2005270558.tif 000003
【図２】
2005270558.tif 000004
【図３】
2005270558.tif 000005
【図４】
2005270558.tif 000006
【図５】
2005270558.tif 000007
【図６】
2005270558.tif 000008
【図７】
2005270558.tif 000009
【図８】
2005270558.tif 000010
【図９】
2005270558.tif 000011